(57)【要約】  記録された情報の流出リスクを低減できる情報処理装置を実現するために、本発明に係る光ディスク装置（１）は、情報を追記録することが可能な又は情報を書き換えることが可能なＲＥ層（Ｌ２）を備えたハイブリッドディスク（１０）に対する記録および再生が可能な情報処理装置であって、ハイブリッドディスク（１０）に記録されているアプリケーションプログラムを実行することによって作成されたアプリケーションデータの保存先をＲＥ層（Ｌ２）のみに制限する保存先制限部（６１）を備える。これにより、アプリケーションデータがＰＣのＨＤＤ等に保存されることによる情報流出を防止することができる。
2011090081.tif 000002
【特許請求の範囲】
【請求項１】
情報を読み出すことのみ可能な第１情報記録層と、情報を追記録することが可能な又は情報を書き換えることが可能な第２情報記録層とを備え、上記第１情報記録層にはアプリケーションプログラムが格納された光記録媒体に対する記録および再生が可能な情報処理装置であって、
上記アプリケーションプログラムを実行することによって作成されたアプリケーションデータの保存先を上記第２情報記録層のみに制限する保存先制限手段を備えることを特徴とする情報処理装置。
【請求項２】
上記アプリケーションデータの保存処理を実行する際に、当該アプリケーションデータを暗号化して保存する暗号化手段を備えることを特徴とする請求項１に記載の情報処理装置。
【請求項３】
上記光記録媒体を使用するユーザを認証するユーザ認証手段を備えることを特徴とする請求項１または２に記載の情報処理装置。
【請求項４】
請求項１〜３のいずれか１項に記載の情報処理装置の各手段としてコンピュータを動作させるプログラム。
【請求項５】
請求項４に記載のプログラムを記録したコンピュータ読み取り可能な記録媒体。
【請求項６】
上記記録媒体は、上記光記録媒体であり、
上記プログラムは、上記第１情報記録層に格納されることを特徴とする請求項５に記載の記録媒体。
【発明の詳細な説明】
【技術分野】
【０００１】
本発明は、アプリケーションプログラムによって作成されたデータの保存先を制限する技術に関する。
【背景技術】
【０００２】
近年、小型で軽量のパーソナルコンピュータ（ＰＣ）のニーズが高まり、各メーカーから「ネットブック」と呼ばれる小型ノートＰＣが発売され、多数のユーザに普及した。これらのＰＣの特徴は、ＣＰＵの処理能力やストレージメディアの容量を最小限にとどめることにより低価格化を実現し、それらのデメリットを補うために、ネットワークの資源の利用を前提としたことである。例えば、大きいデータを保存するためにネットワークストレージを利用したり、ＰＣでアプリケーションを動作させる代わりに、ブラウザで動作するサービスを利用することで、ＰＣとしての能力は低くても、快適に利用できる。【０００３】
この考え方をさらに進めた、「シンクライアントシステム」と呼ばれるシステムがある。シンクライアントシステムでは、サーバに複数のクライアントを接続し、ユーザが利用するクライアントには、入力や表示など最低限の機能しか持たせず、アプリケーションやアプリケーションで作成されたデータ（以下「アプリケーションデータ」）などの資源は、サーバで一括管理する。このため、ユーザは、異なるクライアントからでも、同じアプリケーションやアプリケーションデータを利用でき、物理的にコンピュータを持ち運ぶ必要がないというメリットがある。【０００４】
このように、ネットブックやシンクライアントシステムは、ネットワーク上の資源を活用することで、物理的に持ち運ぶコンピュータを小型軽量化できたり、コンピュータを持ち運び不要とすることができることを特徴としている。このため、当然ながら、ネットワークインフラのない場所では、アプリケーションやアプリケーションデータなどの資源を利用することができない。【０００５】
これに対し、ＰＣのストレージメディアとして、書き換え不可能な層（ＲＯＭ層）と書き換え可能な層（ＲＥ層）とを有する光学ディスク（ハイブリッドディスク）を用いることにより、ネットワークに接続されておらず、ハードディスクドライブ（ＨＤＤ）を持たないＰＣにおいてもアプリケーションやアプリケーションデータを利用可能とする技術が提案されている（例えば、特許文献１）。【０００６】
具体的には、ハイブリッドディスクのＲＯＭ層に、汎用のＰＣで動作可能なＯＳ（オペレーティングシステム）およびアプリケーションを記録しておく。例えばＢＤドライブを備えたハイブリッドディスクを読み込み可能なＰＣに、ハイブリッドディスクを光ディスクドライブに挿入してＰＣを起動すると、ハイブリッドディスクのＲＯＭ層に記録されたＯＳおよびアプリケーションが起動する。アプリケーションで作成されたデータは、ハイブリッドディスクのＲＥ層に保存することができる。環境設定を変更した場合も、変更内容はハイブリッドディスクのＲＥ層に保存される。【０００７】
ＰＣからハイブリッドディスクを取り出し他のＰＣへ挿入して当該他のＰＣを起動した場合も、同様にハイブリッドディスクのＲＯＭ層に記録されたＯＳおよびアプリケーションが起動する。また、他のＰＣでも、ＲＥ層に保存されているアプリケーションデータおよび環境設定を読み込める。このように、ユーザは、ハイブリッドディスクを持ち運ぶことにより、異なるＰＣでも同じアプリケーションおよびアプリケーションデータを利用することができ、ネットワークインフラのない場所であっても問題なく利用できる。また、ＰＣにＨＤＤを設ける必要がないので、ＰＣの小型軽量化を実現できる。【０００８】
さらに、特許文献１には、ハイブリッドディスクを光ディスクドライブに挿入してＰＣを起動させるときに、パスワード等の入力するための画面を表示して、ハイブリッドディスクを使用するユーザが正当なユーザであるか否かを認証する構成が開示されている。これにより、ハイブリッドディスクに記録された情報のセキュリティを高めることができる。
【先行技術文献】
【特許文献】
【０００９】
【特許文献１】日本国公開特許公報「特開２００９−１９３６３３号公報（２００９年８月２７日公開）」
【発明の概要】
【発明が解決しようとする課題】
【００１０】
しかしながら、特許文献１に記載の構成では、例えば、ＨＤＤを有するＰＣにおいてハイブリッドディスクを使用した場合、ユーザがアプリケーションデータをＨＤＤ等に保存すると、第三者が当該ＰＣを利用した場合に、アプリケーションデータが流出してしまう虞がある。【００１１】
本発明は、上記の問題点を解決するためになされたもので、その目的は、記録された情報の流出リスクを低減できる情報処理装置を実現することにある。
【課題を解決するための手段】
【００１２】
上記の課題を解決するために、本発明に係る情報処理装置は、情報を読み出すことのみ可能な第１情報記録層と、情報を追記録することが可能な又は情報を書き換えることが可能な第２情報記録層とを備え、上記第１情報記録層にはアプリケーションプログラムが格納された光記録媒体に対する記録および再生が可能な情報処理装置であって、上記アプリケーションプログラムを実行することによって作成されたアプリケーションデータの保存先を上記第２情報記録層のみに制限する保存先制限手段を備えることを特徴としている。【００１３】
上記の構成によれば、保存先制限手段によって、アプリケーションデータの保存先が第２情報記録層のみに制限されるので、アプリケーションデータを情報処理装置のＨＤＤやネットワーク上のストレージに保存できなくなる。これにより、ユーザがアプリケーションデータを当該ＰＣのＨＤＤ等に保存してしまうことによる情報流出を防止することができ、特に機密性の高いデータを常に光記録媒体のみに保存しておきたい場合に好適である。したがって、記録された情報の流出リスクを低減できる情報処理装置を実現することができる。
【発明の効果】
【００１４】
以上のように、本発明に係る情報処理装置は、情報を読み出すことのみ可能な第１情報記録層と、情報を追記録することが可能な又は情報を書き換えることが可能な第２情報記録層とを備え、上記第１情報記録層にはアプリケーションプログラムが格納された光記録媒体に対する記録および再生が可能な情報処理装置であって、上記アプリケーションプログラムを実行することによって作成されたアプリケーションデータの保存先を上記第２情報記録層のみに制限する保存先制限手段を備える構成であるので、記録された情報の流出リスクを低減できるという効果を奏する。
【図面の簡単な説明】
【００１５】
【図１】本発明の第１の実施形態に係る光ディスク装置の構成を示すブロック図である。
【図２】本発明の第１の実施形態に係るハイブリッドディスクの各記録層の構成例を示す図である。
【図３】アプリケーションデータの保存処理を実行するためのウィンドウ画面を示す図である。
【図４】（ａ）は、図３に示すウィンドウ画面において、保存先を「デスクトップ」に変更した状態を示す図であり、（ｂ）は、保存処理が実行されない場合に表示されるエラー画面を示す図である。
【図５】本発明の第２の実施形態に係る光ディスク装置の構成を示すブロック図である。
【図６】本発明の第２の実施形態に係るハイブリッドディスクの各記録層の構成例を示す図である。
【発明を実施するための形態】
【００１６】
〔実施形態１〕
本発明の第１の実施形態について図１から図４に基づいて説明すれば、以下のとおりである。
【００１７】
（光ディスク装置１の構成）
図１は、本実施形態に係る光ディスク装置（情報処理装置）１の構成を示すブロック図である。光ディスク装置１は、本体２、ディスプレイ３および入力デバイス４を備えている。ディスプレイ３は、映像出力部７を介して本体２から出力される映像データに基づいて映像を表示するものであり、例えば、液晶ディスプレイが好適に用いられる。入力デバイス４は、ユーザがＩ／Ｏコントロール部８を介して本体２に入力指示を与えるためのデバイスであり、例えば、キーボードやマウスが用いられる。
【００１８】
本体２は、ブルーレイディスク（ＢＤ）ドライブ５および演算処理部６を備えている。ＢＤドライブ５は、本体２に挿入されるハイブリッドディスク（光記録媒体）１０からの情報の読み出しや、ハイブリッドディスク１０への情報の記録を行う機能を有している。ＢＤドライブ５には、図示しない光ピックアップ装置が設けられており、光ピックアップ装置の光ヘッドからレーザビームをハイブリッドディスク１０のトラックに照射することによって、ハイブリッドディスク１０に対する情報の読み出しおよび記録が行われる。
【００１９】
図２に示すように、ハイブリッドディスク１０は、情報を読み出すことのみ可能なＲＯＭ層（第１情報記録層）Ｌ１と、情報を追記録することが可能な又は情報を書き換えることが可能なＲＥ層（第２情報記録層）Ｌ２とを備えている。後述するように、ＲＯＭ層Ｌ１には、各種アプリケーションプログラムが記録されており、ＲＥ層Ｌ２には、アプリケーションプログラムによって作成されたアプリケーションデータが記録されている。
【００２０】
演算処理部６は、図示しないハードディスクドライブ（ＨＤＤ）に記憶されたアプリケーションプログラムや、ハイブリッドディスク１０に記録されたアプリケーションプログラムを実行する機能を有する機能ブロックである。また、演算処理部６はインターフェイス部９を介して、ハイブリッドディスク１０に対する再生制御および記録制御を行うための指示をＢＤドライブ５に与える機能を有している。さらに、本実施形態では、演算処理部６が、ハイブリッドディスク１０に記録されたアプリケーションプログラムを実行することにより作成されたアプリケーションデータは、ＲＥ層のみに記録可能となっている。この機能を実現するために、演算処理部６は、保存先制限部（保存先制限手段）６１を有している。保存先制限部６１は、図示しないＨＤＤに格納された保存先制限プログラムを実行することにより実現される機能ブロックである。また、保存先制限プログラムは、光ディスク装置１の起動時に自動的に実行されるプログラムである。以下、保存先制限部６１の機能について具体的に説明する。
【００２１】
（アプリケーションデータの保存先制限）
まず、光ディスク装置１を起動すると、ＨＤＤに格納されたＯＳの起動とともに、保存先制限プログラムが実行され、演算処理部６に保存先制限部６１が形成される。続いて、ハイブリッドディスク１０をＢＤドライブ５に挿入し、入力デバイス４からの指示等によりハイブリッドディスク１０に記録されているアプリケーションプログラムのいずれかを実行すると、実行されたアプリケーションプログラムが、ハイブリッドディスク１０から図示しないメモリに読み出される。続いて、ユーザの入力操作によりアプリケーションプログラムデータが作成され、アプリケーションデータの保存指示がなされると、保存先制限部６１は、操作中のアプリケーションプログラムが、ハイブリッドディスク１０からメモリに読み出されることにより実行されているプログラムであるか否かを判定する。
【００２２】
その結果、操作中のアプリケーションプログラムが、ハイブリッドディスク１０からメモリに読み出されることにより実行されているプログラムであると判定されると、図３に示すウィンドウ画面２０が表示される。このウィンドウ画面２０において、アプリケーションデータの保存先を指定するための保存先指定欄２１には、ハイブリッドディスク１０のＲＥ層Ｌ２を示す「ＢＤドライブ（Ｄ：）」がデフォルト表示されている。ユーザは、所望の保存先、ファイル名、ファイルの種類を指定して、「保存」ボタン２２を選択することにより、作成したアプリケーションデータをハイブリッドディスク１０のＲＥ層Ｌ２に格納することができる。
【００２３】
ここで、図４（ａ）に示すように、ユーザがアプリケーションデータの保存先をＨＤＤの記憶領域である「デスクトップ」を指定して、「保存」ボタン２２を選択すると、保存先制限部６１は、保存処理の実行を中止させ、代わりに、図４（ｂ）に示すエラー画面３０をディスプレイ３に表示させる。このように、ハイブリッドディスク１０のアプリケーションプログラムによって作成されたアプリケーションデータは、ハイブリッドディスク１０のＲＥ層Ｌ２のみに保存可能となっているので、アプリケーションデータの流出リスクを低減することができる。なお、ウィンドウ画面２０の保存先指定欄２１を、「ＢＤドライブ（Ｄ：）」のデフォルト表示のまま変更不可としてもよい。また、演算処理部６がハイブリッドディスク１０に記録されたアプリケーションプログラム以外のアプリケーションプログラムを実行している場合は、当該アプリケーションプログラムによって作成されたアプリケーションデータの保存先は、ハイブリッドディスク１０のＲＥ層Ｌ２に限定されない。
【００２４】
（まとめ）
このように、保存先制限部６１によって、アプリケーションデータの保存先が、ＲＥ層Ｌ２のみに制限されているため、アプリケーションデータをＨＤＤ等に格納することができなくなっている。したがって、ハイブリッドディスク１０のユーザが、誤ってＨＤＤ等にアプリケーションデータを保存して情報が漏洩することを防止できる。
【００２５】
なお、光ディスク装置１の保存先制限部６１は、ハードウェアロジックによって構成してもよいし、次のようにＣＰＵを用いてソフトウェアによって実現してもよい。
【００２６】
すなわち、光ディスク装置１は、保存先制限機能を実現する保存先制限プログラムの命令を実行するＣＰＵ（ｃｅｎｔｒａｌ ｐｒｏｃｅｓｓｉｎｇ ｕｎｉｔ）、上記保存先制限プログラムを格納したＲＯＭ（ｒｅａｄ ｏｎｌｙ ｍｅｍｏｒｙ）、上記保存先制限プログラムを展開するＲＡＭ（ｒａｎｄｏｍ ａｃｃｅｓｓ ｍｅｍｏｒｙ）、上記保存先制限プログラムおよび各種データを格納するメモリ等の記憶装置（記録媒体）などを備えている。そして、本発明の目的は、上述した機能を実現するソフトウェアである光ディスク装置１の保存先制限プログラムのプログラムコード（実行形式プログラム、中間コードプログラム、ソースプログラム）をコンピュータで読み取り可能に記録した記録媒体を、光ディスク装置１に供給し、そのコンピュータ（またはＣＰＵやＭＰＵ）が記録媒体に記録されているプログラムコードを読み出し実行することによっても、達成可能である。
【００２７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００２８】
また、光ディスク装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ ｐｒｉｖａｔｅ ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００２９】
〔実施形態２〕
本発明の第２の実施形態について図５および図６に基づいて説明すれば、以下のとおりである。なお、説明の便宜上、実施形態１にて説明した部材と同じ機能を有する部材については、同じ符号を付記し、その説明を省略する。
【００３０】
（光ディスク装置１ａの構成）
図５は、本実施形態に係る光ディスク装置１ａの構成を示すブロック図である。光ディスク装置１は、本体２ａ、ディスプレイ３および入力デバイス４を備えている。本体２ａは、ブルーレイディスク（ＢＤ）ドライブ５およびホストユニット１１を備えている。ＢＤドライブ５の構成は、図１に示すものと同一であるが、本実施形態では、図１に示すハイブリッドディスク１０の代わりにハイブリッドディスク１０ａがＢＤドライブ５に挿入されている。
【００３１】
ハイブリッドディスク１０ａは、ハイブリッドディスク１０と同様、情報を読み出すことのみ可能なＲＯＭ層Ｌ１と、情報を追記録することが可能な又は情報を書き換えることが可能なＲＥ層Ｌ２とを備えており、さらに、ＲＯＭ層Ｌ１には、各種アプリケーションプログラムに加えて、光ディスク装置１ａで動作するＯＳが記録されている。
【００３２】
また、ホストユニット１１は、インターフェイス部９を介して、ハイブリッドディスク１０ａに対する再生制御および記録制御を行うための指示をＢＤドライブ５に与える機能を有しており、チップセット１２、システムメモリ１３およびＣＰＵ１４を備えている。チップセット１２は、ＣＰＵ１４の周辺回路を搭載したチップである。ＣＰＵ１４は、ハイブリッドディスク１０ａからデータを読み出してシステムメモリ１３に展開し、ハイブリッドディスク１０ａに記録されたアプリケーションプログラムの命令列を順に読み込んで、システムメモリ１３に展開したデータに対して演算処理を行う。
【００３３】
このように、光ディスク装置１ａの本体２ａには、汎用のＰＣが備えるＨＤＤが設けられておらず、これにより、光ディスク装置１ａの小型軽量化を実現している。本実施形態では、アプリケーションプログラムによって作成されたアプリケーションデータは、ハイブリッドディスク１０ａの所定の記録領域に保存される。
【００３４】
（ハイブリッドディスク１０ａの構成）
続いて、ハイブリッドディスク１０ａの構成について説明する。
【００３５】
図６は、ハイブリッドディスク１０ａの各記録層の構成例を示す図である。前述のように、ハイブリッドディスク１０ａは、情報を読み出すことのみ可能なＲＯＭ層Ｌ１と、情報を追記録することが可能な又は情報を書き換えることが可能なＲＥ層Ｌ２とを備えている。ＲＯＭ層Ｌ１は、ＯＳおよび当該ＯＳ上で動作するアプリケーションプログラムを格納する記録層である。また、ＲＥ層は、アプリケーションプログラムによって作成されたアプリケーションデータを格納する記録層である。
【００３６】
ＯＳとしては、ＷＩＮＤＯＷＳ（登録商標）、ＯＳ／２、ＵＮＩＸ（登録商標）、ＬＩＮＵＸ、ＭＳ−ＤＯＳ、Ｍａｃ−ＯＳなどを用いることができるが、本実施形態では、ＷＩＮＤＯＷＳ（登録商標）を用いた例について説明する。また、ＯＳを構成するプログラムには、ユーザ認証プログラム、保存先制限プログラムおよび暗号化プログラムが含まれている。保存先制限プログラムは、前述の第１の実施形態において説明した保存先制限プログラムと同一である。
【００３７】
（ユーザ認証）
ユーザ認証プログラムは、ハイブリッドディスク１０ａを使用するユーザを認証するためのユーザＩＤやパスワード等を含んでいる。ハイブリッドディスク１０ａを本体２に挿入すると、ＣＰＵ１４がユーザ認証プログラムを読み込むことにより、ユーザ認証部（ユーザ認証手段）がホストユニット１１に形成される。これにより、ユーザＩＤやパスワードを入力するための画面が表示され、ユーザによって入力された情報とあらかじめ設定されている認証情報とが一致した場合に、ＣＰＵ１４がハイブリッドディスク１０ａからＯＳプログラムを読み出してＯＳが起動する。
【００３８】
（アプリケーションデータの保存先制限）
第１の実施形態において説明したように、保存先制限プログラムは、アプリケーションデータの保存先を、ＲＥ層Ｌ２のみに制限するためのデータである。したがって、当該プログラムを実行することにより、アプリケーションデータをＨＤＤ等に格納することができなくなるので、ハイブリッドディスク１０ａのユーザが、誤ってＨＤＤ等にアプリケーションデータを保存して情報が漏洩することを防止できる。
【００３９】
さらに、本実施形態では、保存先制限プログラムがハイブリッドディスク１０ａに記録されているので、保存先制限プログラムがインストールされていないＰＣにおいても、保存先制限プログラムを実行することができる。したがって、ハイブリッドディスク１０ａが第三者に盗難された場合であっても、当該第三者は、ハイブリッドディスク１０ａに記録された情報を、ＨＤＤやＵＳＢメモリ等の他のストレージメディアに移動することができなくなるので、情報流出のリスクをさらに低減できる。
【００４０】
なお、アプリケーションデータの保存先制限の処理内容の具体的内容は、前述の第１の実施形態におけるものと略同一であるので、説明を省略する。
【００４１】
（アプリケーションデータの暗号化）
また、本実施形態では、アプリケーションデータの保存処理を実行する際に、アプリケーションデータを暗号化して保存する構成としている。これは、ハイブリッドディスク１０ａのＲＯＭ層Ｌ１に格納されている暗号化プログラムをＣＰＵ１４が読み込み、暗号化部（暗号化手段）がホストユニット１１に形成されることによって実現される。これにより、第三者がハイブリッドディスク１０ａを使用した場合に、アプリケーションデータにアクセスしても、文字化けする等して正常に表示されないので、第三者にアプリケーションデータの内容を閲覧できないようにすることができる。したがって、情報流出のリスクをさらに低減することができる。
【００４２】
さらに、本実施形態では、アプリケーションデータの暗号化方式として、ＡＡＣＳ（Ａｄｖａｎｃｅｄ Ａｃｃｅｓｓ Ｃｏｎｔｅｎｔ Ｓｙｓｔｅｍ）を用いている。ＡＡＣＳの暗号化方式は、ブルーレイディスクやＤＶＤ等の光ディスクのコンテンツの著作権保護技術であるため、ＲＥ層Ｌ２へのデータ保存における暗号化に好適である。
【００４３】
なお、暗号化されたアプリケーションデータを復号するための復号鍵は、ハイブリッドディスク１０ａのＲＥ層Ｌ２に記録してもよいが、ハイブリッドディスク１０ａとは異なる記録媒体（例えばＵＳＢメモリ）に記録することが望ましい。
【００４４】
（まとめ）
以上のように、本実施形態では、ハイブリッドディスク１０は、読み出し専用のＲＯＭ層Ｌ１と、書き換え可能なＲＥ層Ｌ２とを有し、ＲＯＭ層Ｌ１には、ＯＳと当該ＯＳ上で動作するアプリケーションプログラムとが格納され、さらに、アプリケーションデータの保存先を、ＲＥ層Ｌ２のみに制限する保存先制限プログラムが記録されている。したがって、ユーザは、様々な環境でハイブリッドディスク１０を使用できるとともに、ハイブリッドディスク１０に記録された情報の流出リスクを低減できる。さらに、ハイブリッドディスク１０には、アプリケーションデータを暗号化してＲＥ層Ｌ２に保存するための暗号化プログラムが記録されているため、第三者がハイブリッドディスク１０を使用した場合であっても、第三者にアプリケーションデータの内容を閲覧できないようにすることができる。
【００４５】
本実施形態では、ＲＯＭ層Ｌ１に格納されている保存先制限プログラムは、ＯＳを構成するプログラムに含まれている構成であったが、各アプリケーションプログラムが保存先制限プログラムを含む構成としてもよい。暗号化プログラムについても同様に、各アプリケーションプログラムが暗号化プログラムを含む構成としてもよい。
【００４６】
また、アプリケーションデータの保存実行の際に、ＣＰＵ１４が読み込み可能であれば、保存先制限プログラムおよび暗号化プログラムをＯＳを、独立したアプリケーションプログラムとしてもよい。この場合、保存先制限プログラムおよび暗号化プログラムは、ＲＯＭ層Ｌ１に格納されることが好ましい。ＲＯＭ層Ｌ１は、読み出し専用の記録層であるため、保存先制限プログラムおよび暗号化プログラムの改竄を防止できる。
【００４７】
なお、本実施形態に係るハイブリッドディスク１０は、２層構造の多層ディスクであったが、ＲＯＭ層およびＲＥ層を備える多層ディスクであれば、３層以上有してもよい。
【００４８】
（実施形態の総括）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００４９】
本発明に係る情報処理装置は、上記アプリケーションデータの保存処理を実行する際に、当該アプリケーションデータを暗号化して保存する暗号化手段を備えることが好ましい。
【００５０】
本発明に係る情報処理装置は、上記光記録媒体を使用するユーザを認証するユーザ認証手段を備えることが好ましい。
【００５１】
本発明に係るプログラムは、上記の情報処理装置の各手段としてコンピュータを動作させるプログラムである。また、当該プログラムは、コンピュータ読み取り可能な記録媒体に記録される。
【００５２】
上記記録媒体は、上記光記録媒体であり、上記プログラムは、上記第１情報記録層に格納されることが好ましい。
【産業上の利用可能性】
【００５３】
本発明は、特に、ＲＯＭ層およびＲＥ層を有するハイブリッドディスクに対する記録／再生が可能な光ディスク装置に利用することができる。
【符号の説明】
【００５４】
１    光ディスク装置（情報処理装置）
１ａ    光ディスク装置（情報処理装置）
２    本体
２ａ    本体
３    ディスプレイ
４    入力デバイス
５    ＢＤドライブ
６    演算処理部
７    映像出力部
８    Ｉ／Ｏコントロール部
９    インターフェイス部
１０    ハイブリッドディスク（光記録媒体）
１０ａ  ハイブリッドディスク（光記録媒体）
１１    ホストユニット
１２    チップセット
１３    システムメモリ
１４    ＣＰＵ
２０    ウィンドウ画面
３０    エラー画面
６１    保存先制限部（保存先制限手段）
Ｌ１    ＲＯＭ層（第１情報記録層）
Ｌ２    ＲＥ層（第２情報記録層）
【図１】
2011090081.tif 000003
【図２】
2011090081.tif 000004
【図３】
2011090081.tif 000005
【図４】
2011090081.tif 000006
【図５】
2011090081.tif 000007
【図６】
2011090081.tif 000008
【国際調査報告】
2011090081.tif 000009
2011090081.tif 000010